(57)【要約】【課題】光源（ＬＥＤ）の位置に制約を受けることなく、意匠体の任意の箇所を発光表示が可能であって、意匠体への導光量を増加できる発光装置を提供する。【解決手段】意匠体１０と、光源１３，１３´と、該光源１３，１３´から照射された光を導光する導光体１５とを、表側から裏側にかけて、この順に配置してなる発光装置において、導光体１５には、他の部位に比べて光の出射量が大きい高輝部１５ｂが形成されている。【選択図】図６
2015036742.tif 000002
【特許請求の範囲】
【請求項１】
意匠体と、光源と、該光源から照射された光を導光する導光体とを、表側から裏側にかけて、この順に配置してなる発光装置において、
前記導光体には、他の部位に比べて、前記意匠体に向かう光の出射量が大きい高輝部が形成されていることを特徴とする発光装置。
【請求項２】
前記高輝部は、前記導光体の表面から突出する凸部を有することを特徴とする請求項１に記載の発光装置。
【請求項３】
前記意匠体の少なくとも一部には、光を導光可能な透明または半透明の材料からなる導光部を備えているとともに、前記凸部と、前記導光部に設けられた光入射面の少なくとも一部とが、前記意匠体および前記導光体の前記表面に直交する方向に重なるように配設されていることを特徴とする請求項２に記載の発光装置。
【請求項４】
前記凸部は、前記導光部の端部に沿うように連続して前記導光体に形成されているとともに、前記導光部の前記光入射面の幅方向中心線に対して、前記凸部の幅方向中心線が前記光源側へ偏って配置されていることを特徴とする請求項３に記載の発光装置。
【請求項５】
前記導光体の前記高輝部における前記裏面側には、前記導光部の前記光入射面と略同じ幅の溝部が形成されていることを特徴とする請求項３または４に記載の発光装置。
【請求項６】
前記意匠体の前記導光部の外側に離間して位置する外環部には、前記導光体の端面に対向するように、傾斜部が形成されていることを特徴とする請求項１から５のいずれか一項に記載の発光装置。
【請求項７】
前記導光部の裏面側に凹部が形成され、この凹部に前記光源が配置されている請求項３または４に記載の発光装置。
【請求項８】
前記導光部には、前記凹部を取り囲むように前記導光体の前記表面に向かって突出して前記導光体との隙間をシールする環状のシール突起が形成されている請求項７に記載の発光装置。
【発明の詳細な説明】
【技術分野】
【０００１】
本発明は、各種意匠体の一部または全部を発光させることによって照明および装飾する発光装置に関し、特に、光源の他に導光体を利用して、面発光又は線発光するように発光表示させて装飾する発光装置に関する。
【背景技術】
【０００２】
従来より、車両の外観の意匠性を高めたり、車名やブランド名やロゴ等を表示するために、自動車の前部または後部に車名や社名、ブランド名等を表したエンブレム（ロゴ、マーク）が取り付けられているが、このエンブレムを強調するため、または、高級感を付与するため、または、夜間の視認性を高めるために、エンブレムの一部または全部を発光させたり、照明したりすることが行われている。
【０００３】
この種の発光装置としては、従来、光源にＬＥＤ（発光ダイオード）を用いるとともに、ＬＥＤから出射した光を導光、拡散させるために透明または半透明の導光体を配置してなる発光装置が知られている。導光体に対するＬＥＤの配設位置によって、例えば、導光体の側面に光を照射するようにＬＥＤを配置したエッジライト方式や、導光体内にＬＥＤを配設した導光体内光源方式などの種々の発光方式が知られている。
【０００４】
特許文献１は、エンブレムの外形を形成する意匠体の凹所内に光源となるＬＥＤを配設し、意匠体の下方に配設された導光体に向かって光を照射し、照射された光が、導光体に予め形成された略円錐体形状の貫通孔の側面で反射することによって、導光体内へと導光されて、意匠体の外縁部分が発光する発光装置を開示している。
このような構成とすることによって、光源であるＬＥＤの灯数を少なくしても均一発光性を高くすることができるとともに、ＬＥＤを配設するためのスペースを設ける必要が無くなり、薄型で省スペース化を図ることができる。
【先行技術文献】
【特許文献】
【０００５】
【特許文献１】特開２０１２−８３５２０号公報
【発明の概要】
【発明が解決しようとする課題】
【０００６】
意匠体と光源と導光体をこの順に配設している特許文献１に開示の発光装置においては、意匠体の凹所内に配設したＬＥＤから、意匠体の後方側に配設した導光体に向かって、即ち、意匠体とは反対側に向かって光を照射しているため、ＬＥＤおよびＬＥＤが実装された基盤の背後の意匠体自体を発光させることはできない。
【０００７】
また、特許文献１に開示の発光装置においては、部分的に光を遮蔽するように、光透過領域と光不透過領域とからなるシート体を導光体と意匠体との間に配設することによって、特定部分（意匠体の外縁）のみを発光させているが、輝度の面で十分とはいえない。
【０００８】
本発明の目的は、意匠体への導光量を増加できる発光装置を提供することである。
【課題を解決するための手段】
【０００９】
上記課題を解決するために、本発明に係る発光装置は、意匠体と、光源と、該光源から照射された光を導光する導光体とを、表側から裏側にかけて、この順に配置してなる発光装置において、前記導光体には、他の部位に比べて、前記意匠体に向かう光の出射量が大きい高輝部が形成されていることを特徴とする。
【００１０】
この構成によれば、導光体の一部に光の出射量が大きい高輝部を設けることによって、任意の箇所を発光表示させたり、特定箇所からの光の出射量を多くすることにより、意匠体に多くの光を供給、導光させることが可能となる。
【００１１】
本発明において、前記高輝部は、前記導光体の表面から突出する凸部を有することが好ましい。この構成によれば、導光体の表面に凸部を一体的に成形するのみで、高輝部を設けることができる。また、Ｖ字等の溝形状を設けた場合と比べて、水の浸入により溝形状を水が埋めてしまい、光学的な機能が消失してしまうような不具合が発生する惧れがない。
【００１２】
本発明において、前記意匠体の少なくとも一部には、光を導光可能な透明または半透明の材料からなる導光部を備えているとともに、前記凸部と、前記導光部に設けられた光入射面の少なくとも一部とが、前記意匠体および前記導光体の前記表面に直交する方向に重なるように配設されていることが好ましい。この構成によれば、前記高輝部から出射された光が前記導光部の光入射面から導光部内に導光されるため、前記光源の背後に位置する（光の出射方向とは反対側に位置する）意匠体を発光表示させることが可能となる。
【００１３】
本発明において、前記凸部は、前記導光部の端部に沿うように連続して前記導光体に形成されているとともに、前記導光部の前記光入射面の幅方向中心線に対して、前記凸部の幅方向中心線が前記光源側へ偏って配置されていることが好ましい。この構成によれば、前記高輝部から出射された光を前記意匠体の端面から取り込む量が多くなるため、光源から出射された光の利用効率が高められる。
【００１４】
本発明において、前記導光体の前記高輝部における前記裏面側には、前記導光部の光入射面と略同じ幅の溝部が形成されていてもよい。この構成によれば、前記高輝部における光の出射量をさらに高めることができる。
【００１５】
本発明において、前記意匠体の前記導光部の外側に離間して位置する外環部には、前記導光体の端面に対向するように、傾斜部が形成されていてもよい。この構成によれば、前記導光体の端面から出射された光が、意匠体の外環部の導光体の端面に対向する位置に形成された傾斜部で反射されるため、該傾斜部が発光して第三の高輝部が形成され、傾斜部がライン状に発光して発光装置の意匠性がより一層高められる。
【００１６】
本発明において、前記導光部の裏面側に凹部が形成され、この凹部に前記光源が配置されていてもよい。この構成によれば、光源を導光部の凹部内に収容するので、発光装置を薄型化できる。
【００１７】
本発明において、前記導光部には、前記凹部を取り囲むように前記導光体の表面に向かって突出して前記導光体との隙間をシールする環状のシール突起が形成されていてもよい。この構成によれば、光源や基盤が収容されている内部空間への水などの浸入を防止できる。
【発明の効果】
【００１８】
本発明の発光装置は、導光体に他の部位と比べて光の出射量が大きい高輝部が形成されているので、任意の箇所を発光表示させたり、特定箇所からの光の出射量を多くすることにより、意匠体に多くの光を供給、導光させることが可能となる。
【図面の簡単な説明】
【００１９】
【図１】本発明の発光装置の一実施形態に係るエンブレムイルミの斜視図である。
【図２】同エンブレムイルミを構成部品に分解して示した斜視図である。
【図３】同エンブレムイルミの意匠体を取り除いて、導光部を透過して示した斜視図である。
【図４】同エンブレムイルミの構成部品の一つである導光体を示した斜視図である。
【図５】同エンブレムイルミを裏側から見た斜視図である。
【図６】図１のＡ−Ａ線で切断した断面図である。
【図７】図６における、導光体の表面に形成した凸部を備える高輝部付近を拡大した断面図である。
【図８】高輝部の他の実施例を示した断面図である。
【発明を実施するための形態】
【００２０】
以下、図面を参照して本発明の実施形態を説明する。
【００２１】
図１は、本発明を車両外部に配設される発光装置であるエンブレムイルミ１に適用した実施形態を斜視図で示している。また、図２は、図１のエンブレムイルミ１の構成部品を分解して示した斜視図である。
【００２２】
図１のエンブレムイルミ１は、エンブレムの外形をなす意匠体１０と、該意匠体１０の中央に一体化されている導光部１１と、図２に示す基盤１２と、該基盤１２上に実装されるＬＥＤ１３，１３´（光源）と、基盤１２に接続されるハーネス１４と、ＬＥＤ１３，１３´から照射された光を導光する導光体１５と、該導光体１５に形成されたハーネス１４挿通用の挿通孔を密閉するために挿通孔に嵌合されるグロメット１６と、前記導光体１５と意匠体１０を接着および密閉する両面テープ１７とを備えている。
【００２３】
［意匠体（エンブレム）］
意匠体１０は、エンブレムイルミ１の外観を構成し、自動車の車種や社名等のロゴやマークとなるように形成されている。意匠体１０は、ＡＢＳ等の樹脂材料を射出成形することによって形成された後、銀メッキ加工を施されて、意匠性が高められている。本実施形態においては、前記意匠体１０は、銀メッキ加工を施された非透光性になるように形成されているが、これに限られることはなく、一部又は全部を透明又は半透明等の透光性となるように形成して発光するようにしても構わない。
図２に示すように意匠体１０は、内環部１０ａと外環部１０ｂと、内環部１０ａと外環部１０ｂとを繋ぐ２つの架橋部１０ｃ，１０ｃ´とからなる。また、内環部１０ａの内側には、円状に開口した開口部１０ｄが形成されており、内環部１０ａと外環部１０ｂとの間は、２つの空隙１０ｅ，１０ｅ´が形成されている。
【００２４】
［導光部（レンズ）］
導光部１１は、緑色に着色したポリカーボネート（ＰＣ）を射出成形してなる半透明の透光性の成形品であり、導光部１１の内部には凹部１１ｅ（図６）が形成されており、この凹部１１ｅが収容空間の機能も担っている。導光部１１は、導光部１１の内部に入射した光を導光し、緑色に発光する。本実施形態においては、緑色に着色しているが、これに限られるものではなく、赤色や青色など他の色でもよいし、透明又は半透明でもよい。
【００２５】
前記導光体１５に前記導光部１１をビス留め固定した後、導光体１５は、前記両面テープ１７によって意匠体１０に接着固定される。このとき、導光部１１は、意匠体１０の開口部１０ｄに嵌合固定される。これにより、意匠体１０の一部である内環部１０ａが導光部１１を備えることとなる。本実施形態においては、意匠体１０と導光部１１は別体形成された後、嵌合一体化しているが、これに限られず、導光部１１を意匠体１０にインサート成形してもよい。このような構成とすることによって、導光部１１と意匠体１０とは、隙間無く、一体化することになるため、エンブレムイルミ１の密閉性が格段に高められ、導光部１１の内部への水の浸入の惧れが格段に低減可能となるため好ましい。
【００２６】
［基盤、ＬＥＤ］
エンブレムイルミ１の光源として、２灯のＬＥＤ１３，１３´を用いている。ＬＥＤ１３，１３´は、ガラスエポキシ樹脂からなる基盤１２上に実装されている。本実施形態において、ＬＥＤの灯数は２灯用いているが、これに限らず、１灯でもよいし３灯以上でもよい。本発明は、数灯のＬＥＤのみでエンブレムイルミ１の任意の箇所を発光させることができることを特徴とする。
【００２７】
ＬＥＤ１３，１３´が実装された基盤１２は、前記導光体１５にビス留め固定される。図示は省略しているが、基盤１２は、基盤１２に形成された２箇所の挿通孔のそれぞれにビス（ねじ体）を挿通させ、導光体１５の表面に円筒状に突出形成されたボス部にねじ込むことにより、導光体１５に固定されている。このとき、図６に示すように、基盤１２は、ＬＥＤ１３，１３´が実装された側が導光体１５に面するように配設されている。即ち、ＬＥＤ１３，１３´から出射した光は、導光体１５に向かって照射されることになる。
本実施形態に用いたＬＥＤ１３，１３´は、日亜化学製の白色ＬＥＤ（商品名：ＮＳ２Ｗ１５０）であるが、これに限らず、赤色ＬＥＤや青色ＬＥＤ等の他の色でもよいし、フルカラーのＬＥＤを用いて、色替え表示してもよい。
【００２８】
図３に示すように基盤１２には、ハーネス１４が接続されていて、該ハーネス１４は、導光体１５に形成された挿通孔１５ｅを通って、車体側へと接続されている。このとき、ハーネス１４をグロメット１６に通して、グロメット１６を導光体１５の挿通孔１５ｅに嵌合させることによって、密閉性を高めている。グロメット１６は、ゴムなどの可撓性および防水性を有する材料が好適に用いられるが、粘性のある液体を流し込み凝固させることによって封止してもよい。この場合、さらに水密性が高められて好ましい。
【００２９】
前記意匠体１０の導光部１１は、図６に示すように、内部に中空の収容空間をなす凹部１１ｅが形成されており、該凹部１１ｅ内に前記基盤１２、ＬＥＤ１３，１３´が収容される。このため、基盤１２とＬＥＤ１３，１３´の収容空間を別途設ける必要がなくなるため、省スペース化、薄型化が可能となるとともに、部品点数の増加を避けることが可能となる。
【００３０】
［導光体（導光プレート）］
図４は、導光体１５を拡大して示した斜視図である。導光体１５は、散乱粒子を有する半透明なポリカーボネート（ＰＣ）樹脂を射出成形して形成されている。導光体１５の表面１５ａには、前記意匠体１０の円形の導光部１１の外周縁と略同じ外径となるように、表面１５ａから一体的に突出する凸部１５ｂが連続して形成されている。また、前記ＬＥＤ１３，１３´の配設位置に面するように導光体１５の表面１５ａから裏面１５ｃまで貫通する貫通孔１５ｄ，１５ｄ´が形成されている。即ち、図６に示す光源となるＬＥＤ１３，１３´が、貫通孔１５ｄ，１５ｄ´に対向するように近接して配置され、ＬＥＤ１３，１３´から照射された光Ｌは、貫通孔１５ｄ，１５ｄ´に向かって照射される。ＬＥＤ１３，１３´と導光体１５の表面１５ａとの間隔Ｈ１は、好ましくは１．０ｍｍ以下、より好ましくは０．５ｍｍ以下である。スペースの都合上、この範囲まで間隔を詰めることができない場合は、導光体１５の前記貫通孔１５ｄ，１５ｄ´が形成されている部分だけ突出するように形成してもよい。
【００３１】
図４に示すように前記凸部１５ｂは円環状に形成されているが、一部、凸部１５ｂが形成されずに途切れた、開口部１５ｊが前記挿通孔１５ｅの近傍に形成されている。基盤１２に接続されたハーネス１４は、この開口部１５ｊに通され、挿通孔１５ｅへと挿通されてエンブレムイルミ１の外部へと接続されている。
【００３２】
導光体１５としては、上記のポリカーボネート樹脂のほか、アクリル樹脂、ポリプロピレン樹脂、ポリエチレン樹脂、シリコン樹脂などでも代用可能である。また、半透明樹脂でなくても、散乱粒子を含まない透明樹脂でも構わない。図５は、エンブレムイルミ１を裏側から見た斜視図である。導光体１５は、意匠体１０の開口部１０ｄと内環部１０ａと架橋部１０ｃ，１０ｃ´と略同じ外形となるように成形されていて、裏側から意匠体１０の開口部１０ｄと内環部１０ａと架橋部１０ｃ，１０ｃ´とを被覆し、意匠体１０に光Ｌを出射する。
【００３３】
［貫通孔］
導光体１５の上記貫通孔１５ｄ，１５ｄ´は、図６に示すように、ＬＥＤ１３，１３´側となる表面１５ａの開口径よりも反対側の裏面１５ｃの開口径の方が大きく、その貫通孔１５ｄ，１５ｄ´の内側面が導光体１５の下方（表面１５ａから裏面１５ｃ）に向かって孔径が次第に大きくなる略円錐体形状をなしている。貫通孔１５ｄ，１５ｄ´は、導光体１５の表面１５ａにおける開口の孔径Ｄ１が０．４〜１．０ｍｍ、より好ましくは０．６〜０．８ｍｍであり、導光体１５の裏面１５ｃにおける開口の孔径Ｄ２が１．０〜４．０ｍｍ、より好ましくは、２．０〜３．０ｍｍの範囲であることが、ＬＥＤ１３，１３´から出射された光Ｌの利用効率が最も高められるため好適である。
【００３４】
貫通孔１５ｄ，１５ｄ´を設けることによって、ＬＥＤ１３，１３´から出射された光Ｌは、その中心部分は該貫通孔１５ｄ，１５ｄ´を通過して外部に捨てられるが、その周りの部分が貫通孔１５ｄ，１５ｄ´の内側面で回折し、導光体１５内に導光される。これにより、ＬＥＤ１３，１３´の直下近傍からの発光量が局所的に高まって発光ムラの発生することを抑制できる。また、貫通孔１５，１５´の内側面は内側に凸となるように膨出した湾曲形状となるように形成されていることが好ましく、このような形状とすることによって、ＬＥＤ１３，１３´から照射された光Ｌの利用効率をさらに高めることができる。導光体１５の裏面１５ｃには、ドットパターンやシボ加工を施すか、白色の印刷または塗装を施すことが好ましい。このような構成とすることによって、導光体１５の裏面１５ｃで光Ｌが反射するため裏面１５ｃからの光の放出を防止できるため、さらに光Ｌの利用効率を高めることが可能となる。
【００３５】
［高輝部］
導光体１５の表面１５ａに円環状に突出形成されている凸部１５ｂによって、表面１５ａの一般面に比べて光Ｌの出射量が大きい第一の高輝部が形成されている。凸部１５ｂは、意匠体１０の一部である導光部１１に向かう光量を増大させる。本実施形態において、凸部１５ｂは連続的なリブ状に形成されているがこれに限られるものではなく、断続的に複数設けられていてもよいし、円環状ではなくて、楕円や多角形、ロゴやマークの形状など任意の形状とすることができる。
【００３６】
従来、このような高輝部を形成する場合、導光体１５の裏面１５ｃ側に、例えばＶ溝形状を形成して、光を反射、屈折させることが行われているが、その場合、導光体１５のＶ溝形状の部分に水が浸入して、溝部分を埋めてしまって、光を反射、屈折する機能が失われたり、低下したりする不具合が発生していた。特に本実施形態のエンブレムイルミ１のような外装部品においては、このような不具合への対策が必要となるが、本実施形態のように、導光体１５の表面１５ａ側に突出形状となる凸部１５ｂを設けることによって高輝部を形成すれば、水などの浸入による性能低下を可及的に防止できる。
【００３７】
図７に示すように、前記凸部１５ｂの向いている方向、即ち、凸部１５ｂが導光体１５の表面１５ａから突出している方向には、導光部１１の端面である光入射面１１ａが位置するように導光部１１および導光体１５が配設されている。即ち、前記凸部１５ｂの少なくとも一部と、前記導光部１１に設けられた光入射面１１ａの少なくとも一部とが、前記意匠体１０および導光体１５の表面に直交する方向に重なるように配設されている。このような構成とすることによって、凸部１５ｂから出射された光が、導光部１１の光入射面１１ａから導光部１１内へと導光される。
【００３８】
導光部１１内へ入射した光は、導光部１１内を反射、屈折しながら導光されるとともに、導光部１１の表面１１ｂから外部へ出射されることにより、導光部１１全体が発光し、エンブレムイルミ１を装飾し、意匠性、高級感、夜間の視認性を付与する。このとき、導光部１１の裏面１１ｃにはシボ加工が施されていることが好ましい。この場合、導光部１１内を導光された光は、裏面１１ｃで反射して、表面１１ｂ方向へと向かう量が多くなるため、導光部１１の輝度、均一性および光の利用効率が高められる。
【００３９】
導光体１５の凸部１５ｂは、前記導光部１１の光入射面１１ａの表裏方向と直交する幅方向の中心線Ｌ１に対して、凸部１５ｂの幅方向の中心線Ｌ２が、光源のＬＥＤ１３，１３´側へと偏って配置されていることを特徴とする。このような構成とすることによって、凸部１５ｂから出射した光に対して、導光部１１の光入射面１１ａから取り込まれる光量が増えて、光の利用効率が高められるため好ましい。本実施形態においては、凸部１５ｂの幅方向の中心線Ｌ２が、導光部１１の内側面１１ｆと一致するように配設されている。
【００４０】
凸部１５ｂの形状は断面が半円状に形成されているが、この場合、凸部１５ｂの断面の半径Ｒ１は、０．５〜１．５ｍｍの範囲にあることが好ましく、１．０〜１．２ｍｍの範囲にあることがより好ましい。本実施形態においては、凸部１５ｂは半径Ｒ１＝１．０ｍｍの半円状なるように突出形成されている。ここで、凸部１５ｂにおいて、光源側で導光部１５の表面１５ａへと接続するコーナー部１５ｆは、曲率Ｒ２＝０．５ｍｍの湾曲状に形成されている。このような構成とすることによって、光源のＬＥＤ１３，１３´から照射され、導光体１５内を導光された光のうち、凸部１５ｂから出射する光の量をより多くすることができるため、導光部１１の輝度を高めることができる。コーナー部１５ｆの形状はこれに限られるものではなく、直線状の傾斜面等、コーナー部１５ｆの形状を変えることで凸部１５ｂへの光の入射量を調節することができる。
【００４１】
また、本実施形態においては、凸部１５ｂは、断面が半円状に形成されているが、これに限られるものではなく、断面が楕円状、多角形など任意の形状で代替できる。
【００４２】
導光部１１には、前記導光体１５の表面１５ａに向かって突出する環状のシール突起１１ｄが形成されている。環状のシール突起１１ｄの先端と導光体１５の表面１５ａとの距離Ｈ２は０．５ｍｍ以下となるように近接して配置されており、これにより、エンブレムイルミ１において光源となるＬＥＤ１３，１３´や基盤１２が収容されている内部空間への水などの浸入を防止している。
【００４３】
導光体１５は、意匠体１０の内環部１０ａの外周に略沿うように形成されているが、図５および図６に示すように、導光体１５の端部は、意匠体１０の内環部１０ａの端部から若干突出するように形成されている。また、導光体１５の端部において、導光体１５の裏面１５ｃ側コーナー部には、図６に示す第一の傾斜面１５ｇが形成され、表面１５ａ側コーナー部には、第二の傾斜面１５ｈが形成されている。第一の傾斜面１５ｇと第二の傾斜面１５ｈによって、導光体１５内を導光してきた光Ｌが反射、屈折して、導光体１５の表面１５ａの一般面よりも光Ｌの出射量の多い第二の高輝部が形成されている。なお、第二の傾斜面１５ｈは割愛してもよい。
【００４４】
図８に、前記第一の高輝部の他の実施例を示す。本実施例における第一の高輝部は、導光体１５の表面１５ａ側に前記凸部１５ｂを突出形成するとともに、導光体１５の裏面１５ｃ側に溝部１５ｉを形成していることを特徴とする。溝部１５ｉを形成することによって、導光体内を導光されてきた光が溝部１５ｉで反射、屈折することによって、前記凸部１５ｂからの光の出射量がさらに多くなる。
【００４５】
図６に示すように、前記意匠体１０の内環部１０ａから離間して位置する外環部１０ｂの内周面には、前記導光体１５の前記第一の傾斜面１５ｇと第二の傾斜面１５ｈとの間の端面に対向するように、傾斜部１０ｆが形成されている。傾斜部１０ｆは、意匠体１０の表面１５ａ側に向かって径方向外側に傾斜した面からなり、前記導光体１５の端面から出射した光Ｌが、外環部１０ｂに形成された該傾斜部１０ｆによって意匠体１０の表面側に反射、屈折することにより、第三の高輝部が形成される。
【００４６】
以上説明したとおり、本発明による発光装置は、意匠体と光源と導光体をこの順に配置することにより、光源からの光の出射方向とは反対側を面状に光らせることができる。
【００４７】
以上、図面を参照しながら本発明の好適な実施形態を説明したが、本発明の趣旨を逸脱しない範囲内で、種々の追加、変更または削除が可能であり、そのようなものも本発明の範囲内に含まれる。
【符号の説明】
【００４８】
１： エンブレムイルミ（発光装置）
１０：意匠体
１０ａ：内環部
１０ｂ：外環部
１０ｃ，１０ｃ´：架橋部
１０ｄ：開口部
１０ｅ，１０ｅ´：空隙
１０ｆ：傾斜部（第三の高輝部）
１１：導光部
１１ａ：凹部
１１ｂ：表面
１１ｃ：裏面
１１ｄ：環状のシール突起
１１ｅ：凹部
１２：基盤
１３，１３´：ＬＥＤ（光源）
１４：ハーネス
１５：導光体
１５ａ：表面
１５ｂ：凸部（第一の高輝部）
１５ｃ：裏面
１５ｄ，１５ｄ´：貫通孔
１５ｅ：挿通孔
１５ｆ：コーナー部
１５ｇ：第一の傾斜面（第二の高輝部）
１５ｈ：第二の傾斜面（第二の高輝部）
１５ｉ：溝部
１５ｊ：通路部
１６：グロメット
１７：両面テープ
【図１】
2015036742.tif 000003
【図２】
2015036742.tif 000004
【図３】
2015036742.tif 000005
【図４】
2015036742.tif 000006
【図５】
2015036742.tif 000007
【図６】
2015036742.tif 000008
【図７】
2015036742.tif 000009
【図８】
2015036742.tif 000010